(57)【要約】【課題】コントローラに接続されるリモコン雲台カメラ装置の機能に応じて、適宜操作ボタン等に機能の名称が表示される操作装置及び操作ボタン名称表示方法並びにリモコン雲台カメラシステムを提供する。【解決手段】雲台コントローラの操作画面６１はオプションボタン１００〜１０６が表示される。オプションボタン１００〜１０６のキートップ部に各ボタンに割り付けられたリモコン雲台の機能名が表示されるので、操作者はオプションボタン１００〜１０６リモコン雲台の関係を把握していなくても、各オプションボタン１００〜１０６の表示を頼りにリモコン雲台の操作を行うことが可能である。リモコン雲台の機能名は予め所定の入力手段を介して雲台コントローラに入力され、内部のメモリに記憶されている。【選択図】  図５
2010166397.tif 000002
【特許請求の範囲】
【請求項１】
カメラを搭載したリモコン雲台カメラ装置を操作する操作装置であって、
前記リモコン雲台カメラ装置の操作に用いる操作ボタンと、
前記操作ボタンの名称を表示する表示手段と、
前記操作ボタンに割り付けられた操作可能なリモコン雲台カメラ装置の機能名を当該操作ボタンの名称として前記表示手段に表示させる表示制御手段と、
を備えたことを特徴とする操作装置。
【請求項２】
請求項１に記載の操作装置において、
接続可能なリモコン雲台カメラ装置の機能名を入力する入力手段と、
前記入力手段によって入力された機能名を記憶する記憶手段と、
を備えたことを特徴とする操作装置。
【請求項３】
請求項１又は２に記載の操作装置において、
前記操作ボタン及び前記表示手段は、タッチパネル式表示装置に表示される操作画面に設けられることを特徴とする操作装置。
【請求項４】
請求項１又は２に記載の操作装置であって、
前記表示手段は、前記操作ボタンの近傍に設けられる表示装置を含むことを特徴とする操作装置。
【請求項５】
請求項１乃至４のいずれかに記載の操作装置において、
前記表示制御手段は、機能が割り付けられていない操作ボタンについて、機能が割り付けられていないことを表示するように前記表示手段を制御することを特徴とする操作装置。
【請求項６】
カメラを搭載したリモコン雲台カメラ装置を操作する操作装置に設けられた操作ボタンの名称表示方法であって、
前記操作ボタンに割り付けられた操作可能なリモコン雲台カメラ装置の機能名を当該操作ボタンの名称として表示することを特徴とする操作ボタン名称表示方法。
【請求項７】
通信回線網を介して接続される複数のリモコン雲台カメラ装置と、
前記通信回線網と接続されるとともに、前記通信回線網を介して前記複数のリモコン雲台カメラ装置のいずれかを操作する操作装置と、
前記リモコン雲台カメラ装置と前記操作装置の接続を確立する接続手段と、
を備え、
前記操作装置は、前記リモコン雲台カメラ装置の操作に用いる操作ボタンと、
前記操作ボタンの名称を表示する表示手段と、
前記操作ボタンに割り付けられた接続を確立したリモコン雲台カメラ装置の機能名を当該操作ボタンの名称として前記表示手段に表示させる表示制御手段と、
を備えたことを特徴とするリモコン雲台カメラシステム。
【請求項８】
請求項７に記載のリモコン雲台カメラシステムにおいて、
前記操作装置は、接続可能なリモコン雲台カメラ装置の機能名を入力する入力手段と、
前記入力手段によって入力された機能名を記憶する記憶手段と、
を備え、
前記記憶手段は、前記通信回線網に接続されるリモコン雲台カメラ装置の識別情報と当該リモコン雲台カメラ装置の機能名が関連付けされて記憶されることを特徴とするリモコン雲台カメラシステム。
【発明の詳細な説明】
【技術分野】
【０００１】
本発明は操作装置及び操作ボタン名称表示方法並びにリモコン雲台カメラシステムに係り、特にリモコン雲台を操作する雲台コントローラの表示技術に関する。
【背景技術】
【０００２】
定点観測用等のテレビカメラはリモコン雲台に取り付けられ、雲台コントローラからの遠隔操作によってパンニング、チルティング、ズーミング、フォーカシングなどを行い、所望の撮影を行うことができるようになっている。例えば、天気など各地の様子を知らせるビデオカメラは各中継地点に設置され、各リモコン雲台はオペレータの所在地点に設置された複数の雲台コントローラとネットワーク接続され、各設置場所の雲台コントローラによってビデオカメラの制御が行われる。
【０００３】
特許文献１には、リモコン雲台のパンニング、チルティング、ズーミング、フォーカシングなど制御を行うために操作される操作部材や、リモコン雲台及びカメラの制御における所定の手順が割り付けられたファンクションキーが操作面に設けられるリモコン雲台コントローラが開示されている。
【特許文献１】特開２００４−２７４３３３号公報
【発明の開示】
【発明が解決しようとする課題】
【０００４】
ところで、リモコン雲台カメラ装置（ロボットカメラ装置）システムのリモコン雲台カメラには、設置される場所や用途に応じて固有の機能を加えることがある。このような固有機能を実行するための操作ボタンにはメカニカルなボタンが用いられることが多く、そのボタンの上に彫刻や印刷などの手段を用いて機能名称を固定表示するか、AUXなどの大まかな名称が表示されている。
【０００５】
しかし、複数のリモコン雲台カメラ装置を備えたリモコン雲台システムにおいて、１つのコントローラで複数のリモコン雲台カメラ装置を操作可能に構成すると、コントローラに設けられたボタンに彫刻や印刷によってそれぞれのリモコン雲台カメラ装置の機能を表示することは困難である。また、環境などの要因に応じてシステム構成を変更する必要があるリモコン雲台カメラ装置については、コントローラに設けられたボタンに彫刻や印刷によって当該リモコン雲台カメラ装置の機能の表示を行うことはより一層困難である。
【０００６】
本発明はこのような事情に鑑みてなされたもので、コントローラに接続されるリモコン雲台カメラ装置の機能に応じて、適宜操作ボタン等に機能の名称が表示される操作装置及び操作ボタン名称表示方法並びにリモコン雲台カメラシステムを提供することを目的とする。
【課題を解決するための手段】
【０００７】
上記目的を達成するために、本発明に係る操作装置は、カメラを搭載したリモコン雲台カメラ装置を操作する操作装置であって、前記リモコン雲台カメラ装置の操作に用いる操作ボタンと、前記操作ボタンの名称を表示する表示手段と、前記操作ボタンに割り付けられた操作可能なリモコン雲台カメラ装置の機能名を当該操作ボタンの名称として前記表示手段に表示させる表示制御手段と、を備えたことを特徴とする。
【発明の効果】
【０００８】
本発明によれば、操作可能なリモコン雲台カメラ装置の機能名を、当該機能が割り付けられた操作装置の操作ボタンの名称として表示するので、操作者が機能と操作ボタンとの関係を把握していなくてもリモコン雲台カメラ装置の操作が可能であり、かつ、誤動作の防止を未然に防ぐことができる。
【発明を実施するための最良の形態】
【０００９】
以下、添付図面に従って、本発明の好ましい実施の形態について詳説する。
【００１０】
〔リモコン雲台システムの全体構成〕
図１は、本発明の実施形態に係る示すリモコン雲台システム１０の全体構成図である。同図に示すリモコン雲台システム１０は、ネットワーク１２を介してリモコン雲台（リモコン雲台カメラ装置）１４と雲台コントローラ（操作装置）２０が接続されており、リモコン雲台１４と雲台コントローラ２０との通信接続が確立されると、雲台コントローラ２０からネットワーク１２を介してリモコン雲台１４へ所定のコマンドが送出され、当該コマンドに応じてリモコン雲台１４が動作するように構成されている。
【００１１】
本例における「ネットワーク」の概念は、所定の通信プロトコルによって双方向通信が可能な通信形態を含む概念であり、その一例として、ＬＡＮ（local aria network）やＷＡＮ（wide arianetwork）などが挙げられる。また、ネットワーク１２と雲台コントローラとの間にモデムなどの通信装置を接続する態様も可能である。なお、通信接続は有線であるか無線であるかを問わない。
【００１２】
〔リモコン雲台の説明〕
次に、図１に示すリモコン雲台１４について説明する。
【００１３】
同図に示すリモコン雲台１４は、図示しないテレビカメラ（以下、単にカメラという。）を収納するハウジング４０と、ハウジング４０と共にカメラをパンニング（水平方向（パン方向）の回転動作）及びチルティング（垂直方向（チルト方向）の回転動作）させる雲台本体４１とから構成される。ハウジング４０の前面には透明の前面ガラス４２が設けられており、カメラはこの前面ガラス４２を介してハウジング４０外部の映像を撮影する。
【００１４】
ハウジング４０は雲台本体４１から延設されたチルト軸（不図示）に片持ち支持されており、このチルト軸が雲台本体４１に内蔵されたチルトモータによって回転駆動される。
【００１５】
これにより、ハウジング４０と共にハウジング４０内のカメラがチルティングする。また、雲台本体４１は図示しない据付台上に固定されたパン軸４３によって支持されており、このパン軸４３を軸に雲台本体４１が内蔵のパンモータによって回転駆動される。これにより、ハウジング４０と共にハウジング４０内のカメラがパンニングする。なお、カメラをパンニング又はチルティングさせるリモコン雲台１４の動作をリモコン雲台１４のパン／チルト動作というものとする。
【００１６】
〔雲台コントローラの説明〕
次に、図１に示す雲台コントローラ２０について説明する。
【００１７】
同図に示す雲台コントローラ２０は、ネットワーク１２を介してリモコン雲台１４に接続されており、雲台コントローラ２０に設けられた操作部材の操作によりリモコン雲台１４及びリモコン雲台１４に搭載されたカメラ（カメラ本体及びレンズ）の各種制御機能に関するコマンドがリモコン雲台１４に送信されるように構成されている。
【００１８】
図２は、雲台コントローラ２０の操作面の構成を示した平面図である。同図に示すように雲台コントローラ２０の操作面には、操作棒（ジョイスティック）４４、フォーカスつまみ４５、ズームレバー４６、液晶表示部２２が配置されている。
【００１９】
ジョイスティック４４は、リモコン雲台１４をパン／チルト操作するために機械的に構成された操作部材であり、ジョイスティック４４を前後左右に傾斜させると、その傾斜方向及び傾斜量に応じた方向及び速度でリモコン雲台１４をパン／チルト動作させることができる。
【００２０】
フォーカスつまみ４５は、カメラ（レンズ）のフォーカス操作を行うために機械的に構成された操作部材であり、フォーカスつまみ４５を回動操作すると、その位置に応じたフォーカス位置にフォーカスを移動させることができる。
【００２１】
ズームレバー４６は、カメラ（レンズ）のズーム操作を行うために機械的に構成された操作部材であって、左右方向の中央にある前後方向の軸を中心に揺動するようになっている。ズームレバー４６の左右のいずれかを押すと、押した側及びその押込み量に応じた方向及び速度でズームを移動させることができる。
【００２２】
液晶表示部２２は、パン／チルト操作、フォーカシング操作及びズーム操作の制御以外のリモコン雲台１４及びカメラの制御機能に関する操作を行うための操作部であり、液晶パネルと液晶パネルの表面に設置されたタッチパネルとから構成されている。液晶表示部２２は、カメラの電源のオンオフを行うパワーボタンやメニュー機能を実行するメニューボタンなどの操作ボタン（図２中不図示、図４に符号６６を付して図示）が表示される。
【００２３】
図３は、雲台コントローラ２０の全体構成を示したブロック図である。同図において、図２に示したジョイスティック４４、フォーカスつまみ４５、ズームレバー４６は、操作部５２として示されており、その操作部５２での操作はＣＰＵ５０によって検出されるようになっている。ＣＰＵ５０は、通信インターフェース５４を介して操作に対応するコマンドを通じてリモコン雲台１４に送信する。これによって操作部５２の操作に従ってリモコン雲台１４及びカメラが制御される。
【００２４】
また、ＣＰＵ５０は液晶パネル５６のバックライトの制御を行うとともに、画面の一部にグレーマスクをかけて画面内の一部の明るさを選択的に落とすように、液晶パネル５６の表示制御を行う表示制御手段として機能する。なお、液晶パネル５６の表示制御の詳細については後述する。
【００２５】
図３に示すように、雲台コントローラ２０は、ＣＰＵ５０に付随してメモリ６０が設けられている。メモリ６０は雲台コントローラ２０の各種パラメータや設定等を記憶する記憶手段として機能している。
【００２６】
〔操作画面の説明〕
次に、図２に示す液晶表示部２２（図３の液晶パネル５６）に表示される操作画面について詳細に説明する。
【００２７】
図４は、液晶表示部２２に表示される操作画面６１の構成例を示す図である。
【００２８】
同図に示す操作画面６１の上端部に設けられる選択ボタン領域６２は、図１に図示したネットワーク１２（または、後述する図１２に図示するネットワーク２０２）を介して複数のリモコン雲台１４との通信接続が可能に構成されたシステムに対応するものであり、ネットワーク１２に接続される複数のリモコン雲台１４の中から操作を行う１つのリモコン雲台１４を選択するときに操作される選択ボタン３０（３０−１〜３０−８）が設けられている。なお、選択ボタン領域６２の詳細な説明は後述する。
【００２９】
選択ボタン領域６２の下段には、リモコン雲台の状態を表示するリモコン雲台状態表示部６４が設けられている。図４には、リモコン雲台の状態として、カメラを挿脱するためのハウジングドアの開閉情報（ＤＯＯＲ  ＡＬＡＲＭ）、ハウジング内の温度情報（ＴＥＭＰ  ＡＬＡＲＭ）、パン／チルトの位置情報（ＰＡＭ／ＴＩＬＴ  ＡＬＡＲＭ）、ハウジングの窓（窓ガラス）の霜等を除去するデフロスタ（ＤＥＦＲＯＳＴＥＲ）や、ハウジング内の温度を調整するヒーター（ＨＥＡＴＥＲ）又はフアン（ＦＡＮ）等の動作状況を示す情報、撮影中であるか否か（ＯＮ  ＡＩＲ）などを表示する態様を例示した。
【００３０】
リモコン雲台状態表示部６４の下段（操作画面６１の中央部）には、多数の操作ボタン６６と、操作ボタン６６に対応して当該操作ボタン６６のオンオフや選択状態を表示するボタン表示部６８と、カメラ情報７０が表示されるカメラ情報表示部と、を含む操作ボタン領域７２が設けられている。操作ボタン領域７２は階層構造を有しており、タブ７４を押すことでタブ７４に対応する階層を表示するように構成されている。図４には操作ボタン領域７２について７種類の階層を有する態様を示し、カメラの制御に関連する操作ボタン６６の一群が表示されるカメラコントロールタブ（階層）を開いた状態を図示する。
【００３１】
操作ボタン６６は文字情報により割り付けられた機能がキートップに表示され、操作ボタン６６の上側に設けられたボタン表示部６８は対応するボタンの状態が表示される。例えば、上段左端の操作ボタン６６はカメラ電源のオンオフを行うパワーボタンであり、その機能を意味する「ＰＯＷＥＲ」の文字がキートップに表示され、当該操作ボタン６６に対応するボタン表示部６８に電源のオンオフ状態（図４ではオン状態）が表示される。
【００３２】
なお、図４は操作ボタン領域７２（操作ボタン領域７２の中のCAMERA CTLタブ）に表示可能な操作ボタン６６及びボタン表示部６８をすべて表示したが、これらの操作ボタン６６の中から必要なボタンのみを選択的に表示してもよい。
【００３３】
また、操作ボタン領域７２には、通信接続を確立しているカメラの名称、型式等のカメラ情報７０が表示される。図４には、カメラ情報７０としてカメラの型式（ＡＢ−Ｃ１０００）及びレンズ型式（ＨＢ１４×６．３ＢＥＲ）を表示する態様を例示した。上述したように、カメラ情報７０にレンズの仕様などの光学系の情報を表示してもよい。図７には、カメラの型式及びレンズの型式に加えて、Ｍ．Ｏ．Ｄ（０．４ｍｍ）、焦点距離範囲（４．６−６０ｍｍ）、エクステンダーの有無（なし）が表示される態様を示す。
【００３４】
カメラ情報７０は、少なくとも操作者がその情報を確認したいときに表示されればよい。また、図４に図示したカメラの型式及びレンズの型式のみのカメラ情報７０と、図７に示すＭ．Ｏ．Ｄ等を含むカメラ情報７０’と、を切り換え表示してもよい。例えば、通常は図４のカメラ情報７０が表示され、操作者がボタン操作等を行うと図７のカメラ情報７０’に切り換わり、同じ操作を再度行うと図４のカメラ情報に戻るように構成してもよい。
【００３５】
操作ボタン領域７２の下段には、カメラの設定が表示されるカメラ設定表示部７６が設けられている。図４にはカメラの設定として、ショットタイム、ＲＧＢゲイン、ペデスタル、絞りの設定を表示する態様を例示した。このような操作画面６１のレイアウトは図３のメモリ６０に記憶される。なお、図４に示す操作画面６１のレイアウトはあくまでも一例であり、適宜変更、追加、削除が可能である。
【００３６】
〔オプションボタンの名称表示機能の説明〕
図４に示す操作画面６１は、操作ボタン領域７２に図５に符号１００〜１０６を付して図示したオプションボタン及び、それぞれのオプションボタンに対応するボタン表示部１１０〜１１６を表示することができる。図５に示すオプションボタン１００〜１０６及びボタン表示部１１０〜１１６は図４のＥＳＣ  ＣＴＬタブ７４’に割り付けられている。操作者がＥＳＣ  ＣＴＬタブ７４’にタッチすると、操作ボタン領域７２に図５に示すオプションボタン１００〜１０６が表示される画面に切り換わる。
【００３７】
本例に示す操作画面６１は、オプションボタン１００〜１０６のそれぞれに固有の機能名称を表示させることができるように構成されている。図５に図示した初期画面（リモコン雲台との接続を確立していない状態の画面）では、オプションボタン１００〜１０６のキートップ部にＡＵＸｌ、ＡＵＸ２、ＡＵＸ３、ＡＵＸ４のような一般的にオプションボタンを表す名称が表示されている。
【００３８】
ＡＵＸｌ、ＡＵＸ２、ＡＵＸ３、ＡＵＸ４のような名称はすべてのリモコン雲台について有効なものとは限らず、かかる名称が表示されたオプションボタン１００〜１０６を操作してリモコン雲台を制御するには、操作者はオプションボタンの名称とリモコン雲台の機能との関係を熟知した上での操作が必要となる。
【００３９】
一方、本例に示す雲台コントローラ２０は、操作画面６１におけるオプションボタン１００〜１０６のＡＵＸｌ〜ＡＵＸ４という表示に代わり、一目でリモコン雲台の機能の内容を把握することができる表示態様に変更され、かつ、機能が割り当てられていないボタンはその旨が把握できる表示態様に変更されるように表示制御がなされる。
【００４０】
図６は、オプションボタン１００〜１０６の名称表示部（キートップ部）に固有名称が表示された状態を図示したものである。図６に図示した態様では、オプションボタン１００は「ＦＩＬＴＥＲ」という機能名称（後付けのオプションフィルタ機能を意味する表示）が表示され、オプションボタン１０２は「ＲＸ  ＦＰＵ  ＰＷ」という機能名称（受信用ＦＰＵのパワーオンオフ機能を意味する表示）が表示される。さらに、オプションボタン１０４は「ＴＸ  ＦＰＵ  ＰＷ」という機能名称（送信用ＦＰＵのパワーオンオフ機能を意味する表示）が表示され、オプションボタン１０６は「−」という機能割付けなしを意味する表示がなされる。
【００４１】
図７は、図５，６に図示したオプションボタン１００〜１０６に表示させる名称をリモコン雲台１４の識別情報と関連付けして記憶するためのデータテーブルの一例を示す図である。同図に示すデータテーブルは、複数のリモコン雲台１４の中から１台のリモコン雲台１４を選択して操作を行うシステムに対応したものであり、リモコン雲台１４の識別情報と関連付けされている。図７には、リモコン雲台１４の識別情報として、接続先（電話番号）及び名称（ａａａ，ｂｂｂ，ｃｃｃ）が例示されている。もちろん、識別情報として他の情報を用いることも可能である。
【００４２】
例えば、名称「ａａａ」という識別情報を有するリモコン雲台１４を操作する際のオプションボタン１００〜１０４は、それぞれ「ＦＩＬＴＥＲ」、「ＲＸ  ＦＰＵ  ＰＷ」、「ＴＸ  ＦＰＵ  ＰＷ」、「−」という表示がされ（名称とリモコン雲台１４の機能との関係は上述のとおり）オプションボタン１０６は「−」という機能が割り付けられていない旨の表示がなされる。
【００４３】
また、名称「ｂｂｂ」という識別情報を有するリモコン雲台１４を操作する際のオプションボタン１００は、デコーダ機能を表す「ＤＥＣＯＤＥＲ」という表示がされ、オプションボタン１０２〜１０６は「−」、「−」、「−」という機能が割り付けられていない旨の表示がなされ、名称「ｃｃｃ」という識別情報を有するリモコン雲台１４を操作する際のオプションボタン１００〜１０６は「−」、「−」、「−」、「−」という機能が割り付けられていない旨の表示がなされる。
【００４４】
図７に図示したオプションボタン１００〜１０６（図５，６参照）の名称（リモコン雲台カメラ装置の機能を表す略語）は、液晶表示部２２（図１参照）に表示されるソフトウエアキーボードや、ＵＳＢ（Universal Serial Bus）、ＰＳ２などの外部インターフェースを介して接続されるキーボードを用いて入力してもよいし、雲台コントローラ２０に設けられる外部インターフェース（ＵＳＢ等）を介してデータとして入力してもよい。また、リムーバブルメディアを装着可能なスロットにオプションボタンの機能名称が記憶されたリムーバブルメディアを装着する方法、無線通信方式による方法などを入力手段として適用することが可能である。
【００４５】
図８及び図９は、メカニカルなボタン（機械式ボタン）への適用例を示す概念図である。図８及び図９に示す雲台コントローラ２０の操作面は、オプションスイッチ１００’〜１０６’の名称を表示するとともにオンオフを表示する表示部１２０を具備している。
【００４６】
図８に図示した操作面は図５に図示した操作画面６１に対応し、図１３に図示した操作面は図６に図示した操作画面６１に対応している。表示部１２０は、液晶表示装置や有機ＥＬ表示装置などの小型ディスプレイが好適に用いられる。もちろん、ＬＥＤディスプレイ装置など他のディスプレイ装置を適用してもよい。
【００４７】
図８及び図９には、複数のオプションスイッチ１００’〜１０６’に対して共通の表示部１２０を１つ備える態様を例示したが、複数のオプションスイッチ１００’〜１０６’について表示部１２０を備えてもよいし、２つ又は３つに対して１つの表示部を備えてもよい。なお、図９に示すように、表示部１２０の文字数の制限があるときは、「ＦＩＬＴＥＲ」をさらに短縮して「ＦＩＬ」と表示してもよいし、「ＲＸ  ＦＰＵ  ＰＷ」や「ＴＸ  ＦＰＵ  ＰＷ」の頭文字をとって「ＲＦＰ」や「ＴＦＰ」のように表示する態様も可能である。
【００４８】
かかるオプションボタンの名称表示機能（名称表示方法）によれば、雲台コントローラ２０に設けられたオプションボタンに割り付けられたリモコン雲台カメラ装置の機能の名称を入力するとともに、該機能を対応するオプションボタンの名称として表示するので、オプションボタンと割り付けられた機能との関係を確実に把握できるとともに、操作者による誤操作を未然に防ぐことができる。
【００４９】
〔操作禁止表示機能の説明〕
次に、雲台コントローラ２０の操作禁止表示機能について説明する。
【００５０】
図１０（ａ），（ｂ）は、図４の操作画面６１（操作ボタン領域７２）の中から、一部の操作ボタンを任意に抜き出して図示したものである。図１０（ａ）に示すＡＷＢ（オートホワイトバランス）ボタン１４０はＡＷＢ制御を行うときに操作されるボタンであり、ＡＢＢ（オートブラックバランス）ボタン１４２はＡＢＢ制御を行うときに操作されるボタンである。また、ショットボタン１４４は予め決められたショットを撮影するときに操作され、ゲインボタン１４６はゲイン調整制御を行うときに操作される。
【００５１】
ＡＷＢ制御実行中にカメラの向きを変える操作やカメラの絞りを変える制御などの他の機能が実行されると、カメラのホワイトバランス設定が適切に行われないおそれがある。本例では、ＡＷＢ制御が開始されるとＡＷＢ制御が終了するまで他のすべての機能（制御）の実行が禁止されるとともに、雲台コントローラ２０（図１参照）の操作画面６１に他の機能の実行が禁止されている状態である旨の表示がされる。また、この状態において、実行が禁止されている機能が割り付けられている操作ボタンは、操作禁止（仮に操作したとしてもその操作は無効になる状態）となっている。
【００５２】
図１０（ｂ）は、操作画面６１に設けられるすべての操作ボタンに割り付けられている機能の実行が禁止されたときの操作画面６１の表示状態を示す概念図である。同図に示す操作画面６１は、所定の機能の実行が禁止中である旨の表示の一例として、通常表示状態（図１０(ａ)の操作画面６１）に対して、操作ボタン部及び周囲部１６０を含む操作画面６１の全体の明るさを落としている。操作画面６１の明るさは通常表示状態に対して半減又は半減以下とするとよく、操作画面６１が視認できる程度の明るさ（例えば、通常表示状態の１／１０）まで落とすことが可能である。
【００５３】
言い換えると、操作禁止状態における操作画面６１の明るさは通常表示状態の１／２以下であり、かつ操作画面６１が視認できる程度の明るさの範囲に調節される。液晶表示部２２の種類ごとに輝度が異なりその度合いも違うので、操作画面６１の明るさ範囲の最小値は液晶表示部２２の種類ごとに適宜設定するとよい。
【００５４】
なお、ここでいう「周囲部」とは、操作ボタン領域７２における操作ボタン群の回りの領域を少なくとも含んでいる。また、周囲部は操作画面の中で操作ボタンやフレームが設けられていない背景部を含んでいてもよい。
【００５５】
図１０（ｂ）に操作画面６１全体の明るさを落とす態様を例示したが、操作画面６１のうち、操作ボタン領域７２のみの明るさを落としてもよい。操作画面６１の全体の明るさを落とすには、液晶表示部２２（液晶パネル５６）のバックライトの輝度を調整すればよい。また、操作ボタン領域７２のみの明るさを落とすには、操作ボタン領域７２に対応してパターンニングされたグレーマスクパターンを使用すればよい。
【００５６】
ＡＷＢ制御が終了すると、図１０（ｂ）に示す所定の機能の実行が禁止されている状態の操作画面６１は自動的に図１０（ａ）に示す通常表示状態の操作画面６１に切り換わり、操作画面６１が明るくなる。このようにして、所定の機能の実行が禁止される機能が開始されると、当該機能が終了するまでの一定期間、操作画面６１の明るさを半減又は半減以下とし、操作者にカメラ及びリモコン雲台は他の機能の実行が禁止されている状態である旨を視覚的に報知するので、操作者は操作画面６１を見て該禁止状態であることを容易に把握することができる。
【００５７】
他の機能のすべての実行を禁止する機能（制御）には、ＡＷＢ、ＡＢＢなどがある。また、他の機能のうち、関連する一部の機能の実行のみを禁止する機能（制御）には、ＡＵＴＯ（カメラ側でシャッター、ゲイン等をフルオート制御する機能）やＡＴＷ（オートトラキングホワイトバランス；ホワイトバランスを逐次自動補正する機能）などがある。ＡＵＴＯの実行中はシャッターやゲインコントロールなどの機能の実行が禁止され、ＡＴＷの実行中はＲＥＤ  ＧＡＩＮやＢＬＵＥ  ＧＡＩＮなどの個別のゲイン調節機能の実行が禁止される。
【００５８】
また、図１１（ａ）に示す操作画面６１’（操作ボタン領域７２）のように、メニューボタン１７０及びメニューボタン１７０に関連する上向きカーソル（↑）ボタン１７２、下向きカーソル（↓）ボタン１７４、エンター（ENT）ボタン１７６、メニューボタン１７０に対応するボタン表示部１８０が設けられる態様もあり得る。
【００５９】
図１１（ａ）に図示したメニューボタン１７０は、カメラの基本設定を行うメニュー操作に移行するための操作ボタンであり、上向きカーソルボタン１７２、下向きカーソルボタン１７４はメニュー操作において操作画面６１’に表示されるカーソルを上下に移動させるときに使用される操作ボタンであり、エンターボタン１７６はカーソルを移動させて選択した処理を確定させるときに使用される操作ボタンである。また、上向きカーソルボタン１７２、下向きカーソルボタン１７４、エンターボタン１７６はメニューモードにおいてのみ操作が可能なボタンであり、メニュー操作以外のモードでは操作ができない操作ボタンである。
【００６０】
図１１（ａ）に示す操作画面６１’はカメラの制御及びリモコン雲台１４の制御に関するすべての操作が可能な通常状態であり、操作画面６１’の明るさは通常の明るさとなっている。一方、メニュー機能の実行中のみに使用される上向きカーソルボタン１７２、下向きカーソルボタン１７４、エンターボタン１７６はキートップの表示がグレー表示（又は表示なし）となっており、通常状態において操作が無効である旨が報知される。
【００６１】
図１１（ａ）に示す操作画面６１’においてメニューボタン１７０が操作されると、カメラの制御又はリモコン雲台１４の制御はメニュー機能が可能となり、図１１（ｂ）に示す操作画面６１’に切り換わる。
【００６２】
図１１（ｂ）に示す操作画面６１’は、上向きカーソルボタン１７２、下向きカーソルボタン１７４、エンターボタン１７６のキートップの表示がグレー表示から通常表示に切り換わるとともに、周囲部１６０、及びメニューボタン１７０、上向きカーソルボタン１７２、下向きカーソルボタン１７４、エンターボタン１７６以外の操作ボタン部の明るさはメニューボタン１７０、上向きカーソルボタン１７２、下向きカーソルボタン１７４、エンターボタン１７６の明るさに対して半減または半減以下の明るさに落とされる。
【００６３】
すなわち、図１１（ｂ）に示す操作画面６１’において、ＡＷＢボタン１４０、ＡＢＢボタン１４２、ショットボタン１４４、ゲインボタン１４６は、割り付けられている機能の実行が禁止されている操作ボタンである。一方、メニューボタン１７０、上向きカーソルボタン１７２、下向きカーソルボタン１７４、エンターボタン１７６は、メニュー機能実行中に禁止されていない機能が割り付けられている操作ボタンであり、割り付けられている機能の実行が禁止されている操作ボタン及び周囲部１６０は、割り付けられている機能の実行が可能な操作ボタンに対して明るさが半減又は半減以下となる。
【００６４】
図１１（ｂ）の操作画面６１’においてメニューボタン１７０を操作すると、カメラの制御又はリモコン雲台１４の制御はメニューモードからメニューオフ（通常モード）に移行し、操作画面６１’は図１１（ａ）に図示した通常表示状態に切り換えられる。
【００６５】
このように操作画面６１（６１’）の表示を制御することで、他の機能（制御）の一部又は全部が禁止される機能が実行されたときに、当該機能が終了するまでの間少なくとも実行が禁止される機能に割り付けられている選択ボタン及び該選択ボタンの周囲部１６０の明るさを通常表示状態の１／２以下に落とすので、操作者は操作画面６１内に割り付けられている機能の実行が禁止されている操作ボタンが存在することを視覚的に把握することができ、無駄な操作を行うことが回避でき、かつ、操作しやすい雲台コントローラの提供が可能である。
【００６６】
なお、上記実施形態には、リモコン雲台１４と雲台コントローラ２０との接続形態（通信形態）としてネットワーク１２を介した接続形態を例示したが、ケーブルによる接続形態や、リモコン雲台１４及び雲台コントローラ２０に通信機能を備え、ネットワーク１２を介さずに直接通信を行う形態にも本発明を適用することができる。
【００６７】
一方、本発明は、１つの雲台コントローラが複数のリモコン雲台の中の１台と選択的に接続可能に構成されたマルチ通信システムにも適用可能である。以下の応用例１にマルチ通信システムへの応用例を示す。
【００６８】
〔応用例１〕
次に、本発明の応用例１について説明する。なお、以下の説明において、図１〜図１１を用いて説明した部分と同一又は類似する部分には同一の符号を付し、その説明は省略する。
【００６９】
図１２は、応用例１に係るリモコン雲台システム２００の全体構成を示すブロック図である。同図に示すリモコン雲台システム２００は、ネットワーク２０２に接続される２５６台のリモコン雲台１４−１〜１４−２５６と、前記ネットワーク２０２に接続される８台のモデム２０６−１〜２０６−８と、ＬＡＮ（Local Area Network）２０８を介してモデム（通信装置）２０６と接続される複数台（図１２では３台）の雲台コントローラ２０−１〜２０−３と、を含んで構成されている。
【００７０】
ネットワーク２０２は電話回線網やインターネットなどの大規模な公衆回線網が適用される。ＬＡＮ２０８は構内通信網や小規模通信網といった小規模なエリアを対象とする通信形態が適用される。また、ネットワーク２０２及びＬＡＮ２０８の通信形態は有線、無線を問わない。さらに、ネットワーク２０２に接続可能なリモコン雲台１４及びモデムの数はあくまでも例示であり、適宜変更可能である。
【００７１】
各リモコン雲台１４は識別情報（ネットワーク２０２上における接続情報）が付与されている。リモコン雲台１４の識別情報はネットワーク２０２の種類に応じて電話番号やＩＰアドレス（ＵＲＬ）が適用される。図１２にはリモコン雲台１４の接続情報として電話番号（１０桁の数字列）とランドマーク名を例示した。
【００７２】
雲台コントローラ２０にはネットワーク２０２に接続されるリモコン雲台１４が予め登録されており、雲台コントローラ２０に設けられた液晶表示部２２にリモコン雲台１４の一覧が表示される。雲台コントローラ２０の操作者は、液晶表示部２２上で通信を行うリモコン雲台１４の選択操作ができるように構成されている。
【００７３】
雲台コントローラ２０に登録されるリモコン雲台１４の情報には、各リモコン雲台１４の電話番号（ＩＰアドレス）、及び各リモコン雲台１４が設置される設置先の名称（図１１においてアルファベット３文字で表した文字列）が含まれる。
【００７４】
このように１台乃至は２台以上の雲台コントローラ２０がＬＡＮ２０８などのマルチ通信システムによって接続された操作システムと、複数台用意されているリモコン雲台１４と、を公衆回線網やインターネット等のネットワーク２０２を用いて通信の確立及び切断を行えるシステムを構築した場合、操作者は意図するリモコン雲台１４に対して通信を試み、通信を確立できた場合にはそのリモコン雲台１４に搭載されたテレビカメラ（不図示）を操作して所望の撮影が行われる。
【００７５】
図１２に示すリモコン雲台システム２００は、１台の雲台コントローラ２０と通信可能なリモコン雲台１４が複数存在し、雲台コントローラ２０の液晶表示部２２に表示される一覧の中から通信を試みるリモコン雲台１４を選択し、選択されたリモコン雲台１４について通信の確立を試みるように構成されている。一覧に表示するリモコン雲台１４は、予め登録された通信先として各雲台コントローラ２０に記憶しておき、登録されたリモコン雲台１４の中から選択するものとして選択ミスを極力低くする配慮をしたものである。かかる事情を考慮して、電話番号などの接続情報とともに固有名称（設置先の地名、建物名など設置先を表す情報）を登録可能としておく。図１２に示すように、雲台コントローラ２０の液晶表示部２２に各リモコン雲台１４の接続情報と固有名称を表示することによって、選択ミスの低減化を実現している。
【００７６】
各雲台コントローラ２０に登録されるリモコン雲台１４の登録情報は、ＬＡＮ２０８に接続されるすべての雲台コントローラ２０における共有の情報として管理される。すなわち、ＬＡＮ２０８に接続されるすべての雲台コントローラ２０がリモコン雲台１４の登録情報を共有し、かつ、それぞれの雲台コントローラ２０に登録情報を記憶しておくことでは、ＬＡＮ２０８に接続されるすべての雲台コントローラ２０において共通の通信先の選択操作が可能となる。
【００７７】
リモコン雲台１４の登録は、雲台コントローラ２０のタッチパネルやソフトウエアキーボード、外部接続されるキーボード等のユーザインターフェースを用いて入力する形式でもよいし、外部入力端子を介して電子ファイル形式で作成された一覧表のファイルを読み込む方式でもよい。また、一つの雲台コントローラ２０に記憶された情報（ファイル）を他の雲台コントローラ２０に複写するような構成と、複数の雲台コントローラ２０の間でファイルを共有することができ好ましい。
【００７８】
なお、上述したリモコン雲台１４の登録方法は、図１に示すリモコン雲台システム１０にもそのまま適用可能である。また、新しいリモコン雲台やカメラの情報を追加する必要が生じた場合には、上述した登録方法によって記憶内容を適宜更新可能である。
【００７９】
次に、雲台コントローラ２０の液晶表示部２２に表示される操作画面６１（図４参照）の上端部に設けられる選択ボタン領域６２について説明する。
【００８０】
図４に示す選択ボタン領域６２は、複数のリモコン雲台（図１２参照）の中から制御対象の１台を選択するための複数の選択ボタン３０が表示される。複数の選択ボタン３０は雲台コントローラ２０とネットワーク２０２とをつなぐモデム２０６に対応している。
【００８１】
すなわち、図４に図示した８個の選択ボタン３０−１〜３０−８のそれぞれに対して８個のモデムが割り付けられている。選択ボタン３０の数はモデムの数に応じて適宜追加又は削除することができる。また、対応するモデムが存在しない選択ボタン３０があってもよい。
【００８２】
選択ボタン３０は、通信が確立されたリモコン雲台１４の識別情報を表示することができる。図４に示す操作画面６１において、選択ボタン３０−１の「ａａａ」という表示は識別情報「ａａａ」を持つリモコン雲台１４との通信が選択ボタン３０−１に割り付けられたモデム（例えば、図１２のモデム２０６−１）を介して確立されていることを意味している。ここで、識別情報とはリモコン雲台の固有名称を含む概念であり、例えば、リモコン雲台１４の設置場所や電話番号、ＩＰアドレスなどが挙げられる。また、設置場所の具体例としては、「東京タワー」、「ベイブリッジ」、「新宿御苑」などのランドマーク名や、「東京都新宿区□□１−２−３」などの住所、「新宿」などの地名が挙げられる。
【００８３】
同様に、選択ボタン３０−２の「ｂｂｂ」という表示は、選択ボタン３０−２に割り付けられたモデム（例えば、図１２のモデム２０６−２）を介して識別情報「ｂｂｂ」を持つリモコン雲台１４との通信が確立されていることを表し、選択ボタン３０−３の「ｃｃｃ」という表示は、選択ボタン３０−３に割り付けられたモデム（例えば、図１２のモデム２０６−３）を介して識別情報「ｃｃｃ」を持つリモコン雲台１４との通信が確立されていることを意味する。一方、選択ボタン３０−４〜３０−８の「‐」という表示は、選択ボタン３０−４〜３０−８のそれぞれに割り付けられたモデムが未使用の状態を意味している。
【００８４】
次に、リモコン雲台１４と雲台コントローラ２０との通信接続を確立するための操作について説明する。
【００８５】
図１３（ａ）〜（ｃ）は、液晶表示部２２の表示例を示す図であり、図４に図示した操作画面６１の一部のみを図示するものである。図１３（ａ）は、リモコン雲台１４が選択されていない状態の液晶表示部２２を図示している。同図に示すように、操作者が選択ボタン３０−１を押すと選択ボタン３０−１に対応するモデム２０６が選択される。
【００８６】
図１３（ｂ）は、選択されたモデム２０６を介して通信可能なリモコン雲台１４（図１２参照）の一覧２１０がポップアップメニュー形式で表示されている状態を示す。同図に示すリモコン雲台一覧２１０は、各リモコン雲台１４を固有名称により表示している。操作者はリモコン雲台一覧２１０の中から所望のリモコン雲台１４を選択することで、当該雲台コントローラ２０は選択されたリモコン雲台１４との通信の確立を試みる。すなわち、操作者が選択ボタン３０を長押すると、押されている選択ボタン３０の下にポップアップメニューが表示される。さらに、ポップアップメニューの中の所望の通信先が表示されているボタンを押すと通信先が選択される。
【００８７】
図１３（ｂ）には、ポップアップメニュー形式によりリモコン雲台一覧２１０を表示する態様を例示したが、選択ボタン３０を長押しするとリモコン雲台の選択専用画面に切り替わる態様など、他の表示方式を適用してもよい。
【００８８】
図１３（ｃ）は、通信先が選択された後の状態を示している。図１３（ａ）の操作及び図１３（ｂ）の操作によって通信先が選択されると、選択ボタン３０の表示が「−」から通信先の固有名称の表示に切り換わる。
【００８９】
同図には、通信先として「ｂｂｂ」が選択された状態が図示されている。このようにして、通信先が選択されると選択ボタン３０に通信先の固有名称が表示されるので、どのリモコン雲台１４との通信を確立しているかを一目で確認することができる。
【００９０】
本例に示すリモコン雲台システム２００は、ＬＡＮ２０８に接続される複数の雲台コントローラ２０の間において、リモコン雲台１４との通信状態の情報を共有するように構成されている。例えば、図７の雲台コントローラ２０−１がネットワーク２０２に接続されるリモコン雲台１４−１〜２５６の中の一つと通信を確立すると、他の雲台コントローラ２０−２〜２０−３の液晶表示部２２にもその情報が表示される。
【００９１】
図１４（ａ）〜（ｃ）は、複数の雲台コントローラ２０の間における表示の関係を説明する図である。例えば、図１４（ａ）は図１２の雲台コントローラ２０−１の液晶表示部２２を図示し、図１４（ｂ）及び図１４（ｃ）はそれぞれ雲台コントローラ２０−２、２０−３の液晶表示部２２を図示している。
【００９２】
すなわち、図１４（ａ）に示すように、雲台コントローラ２０−１において識別情報「ａａａ」のリモコン雲台１４との通信を確立すると、雲台コントローラ２０−１の液晶表示部２２の選択ボタン３０−１に通信先の識別情報「ａａａ」が表示されるとともに、図１４（ｂ）に示す雲台コントローラ２０−２の液晶表示部２２の選択ボタン３０−１と、図１４（ｃ）に示す雲台コントローラ２０−３の液晶表示部２２の選択ボタン３０−１にも「ａａａ」が表示される。
【００９３】
言い換えると、本例に示すリモコン雲台システム２００は、図１２に示すモデム２０６−１を介して、ＬＡＮ２０８に接続される雲台コントローラ２０−１〜２０−３と識別情報「ａａａ」のリモコン雲台１４−１との通信が確立されたことが、ＬＡＮ２０８に接続されるすべての雲台コントローラ２０−１〜２０−３に表示されるように構成されている。また、当該通信の切断が行われたときにもＬＡＮ２０８に接続されるすべての雲台コントローラ２０−１〜２０−３にその旨の表示がなされる。かかる構成によれば、いずれのモデム２０６を用いていずれのリモコン雲台１４との通信が確立されているかをＬＡＮ２０８に接続されるすべての雲台コントローラ２０−１〜２０−３の操作者が一目で判断できる。
【００９４】
また、図１５（ａ）〜（ｃ）に示すように、例えば、図１５（ｂ）に示す雲台コントローラ２０−２によって識別情報「ａａａ」のリモコン雲台１４−１（図７参照）を動作させる操作がなされている場合には、雲台コントローラ２０−２の選択ボタン３０−１の背景色を変更するとともに、他の操作装置（図１５（ａ）に示す雲台コントローラ２０−１及び図１５（ｃ）に示す雲台コントローラ２０−３）の液晶表示部２２に表示される選択ボタン３０−１の背景色を変更して、他の雲台コントローラ２０におけるリモコン雲台１４−１は操作禁止である旨を表示するように構成されている。
【００９５】
なお、図１５（ａ）〜（ｃ）には、選択ボタン３０−１の背景色を切り換えることで、操作可能及び操作禁止の状態を表示する態様を例示したが、文字情報や他の表示方法を用いることも可能である。
【００９６】
図１６（ａ）〜（ｃ）は、図１６（ｃ）に示す雲台コントローラ２０−３によってリモコン雲台１４−１との通信が切断された場合の雲台コントローラ２０−１〜２０−３の表示を図示した図である。通信確立、操作可能及び操作禁止を表示する場合と同様に、雲台コントローラ２０−１〜２０−３の液晶表示部２２には共通の表示がなされる。具体的には、選択ボタン３０−１の表示が通信先「ａａａ」から通信を確立していないことを意味する「‐」に切り換えられる。
【００９７】
本応用例１に係るリモコン雲台システム２００によれば、予め登録されたリモコン雲台１４の固有名称（設置場所の名称）や電話番号などの識別情報が雲台コントローラ２０の液晶表示部２２に一覧形式で表示されるので、液晶表示部２２に表示されたリモコン雲台一覧２１０の中から所望のリモコン雲台１４を選択することができる。また、複数の雲台コントローラ２０が接続されるマルチ通信システムでは、雲台コントローラ２０の間で通信状態や操作状態の情報を共有し、他の雲台コントローラ２０の表示装置にも同じ表示がされるので、当該リモコン雲台システムの運用が容易となる。
【００９８】
〔応用例２〕
次に、本発明の応用例２について説明する。
【００９９】
本応用例２に示す雲台コントローラ２０は、通信が確立されたリモコン雲台１４に搭載されるカメラに応じて操作画面のレイアウトが変更されるように構成されている。すなわち、図３のメモリ６０は図１２に示すネットワーク２０２に接続されるリモコン雲台１４に搭載されるカメラの操作画面のレイアウトがカメラごとに記憶されており、雲台コントローラ２０とリモコン雲台１４との通信が確立されると、図３のＣＰＵ５０が有するカメラ認識機能によってカメラが認識され、当該カメラに対応する操作画面のレイアウトが読み出されて液晶表示部２２に表示される。
【０１００】
図１７は、識別情報「ａａａ」を有するリモコン雲台１４に搭載されるカメラに対応する操作画面を示す図である。同図に示す操作画面３００は、通信を確立したリモコン雲台に応じてカメラコントロールタブ内の操作ボタン６６のレイアウトが変更されるように構成されている。操作画面３００の画面レイアウトはリモコン雲台１４と関連付けされて図３のメモリ６０に記憶されている。
【０１０１】
図１７に図示したカメラ情報７０には、リモコン雲台１４に搭載されているカメラの型式（ＥＲ−７５５）及びレンズ型式（ＣＲ１４×１．２Ｂ）が表示され、該リモコン雲台１４に搭載されるカメラの制御に必要な操作ボタン６６が６つ表示され、かつ、該６つの操作ボタン６６のそれぞれに対応するボタン表示部６８が表示される。図１７には、カメラ電源（ＰＯＷＥＲ）、カメラ及びカラーバーの切換（ＣＡＭ／ＢＡＲ）、オートホワイトバランス（ＡＷＢ）、オートブラックバランス（ＡＢＢ）、ゲイン（ＧＡＩＮ）、シャッターのオンオフ（ＳＨＵＴＴＥＲ）の機能が割り付けられたボタンが表示される態様を示す。また、選択ボタン３０−１のハイライト表示がオンになる。
【０１０２】
図１８は、識別情報「ｂｂｂ」を有するリモコン雲台１４用の操作画面３０２を図示したものである。通信先が「ｂｂｂ」のリモコン雲台１４に切り換えられると、メモリ６０（図３参照）から該リモコン雲台１４に対応する操作画面３０２のレイアウトが読み出され、液晶表示部２２の画面表示が自動的に変更される。図１８に示す操作画面３０２は、リモコン雲台１４に搭載されているカメラに対応して、カメラ情報７０が変更されるとともにカメラコントロールタブ内の操作ボタン６６が４つ追加される。また、カメラ設定表示部７６の中央部のフレーム（図１７においてゲイン設定が表示された部分）が枠のみの表示に変更される。さらに、選択ボタン３０−１のハイライト表示がオフになるとともに選択ボタン３０−２のハイライト表示がオンになる。
【０１０３】
図１９は、識別情報「ｃｃｃ」を有するリモコン雲台１４用の操作画面３０４を図示したものである。通信先が「ｃｃｃ」のリモコン雲台１４に切り換えられると、メモリ６０（図３参照）からリモコン雲台１４に対応する操作画面３０４のレイアウトが読み出され、液晶表示部２２の画面表示が自動的に変更される。図１９に示す操作画面３０４では、リモコン雲台１４に搭載されているカメラに対応して、カメラ情報７０が変更されるとともに図１７に示す操作画面３００に対してカメラコントロールタブ内の操作ボタン６６が４つ追加される。また、カメラ設定表示部７６の中央部のフレーム（図１７においてゲイン設定が表示された部分）がペイント設定の表示に変更される。さらに、選択ボタン３０−２のハイライト表示がオフになるとともに選択ボタン３０−３のハイライト表示がオンになる。
【０１０４】
かかる応用例２によれば、操作（制御）を行うカメラに対応した専用の操作画面を表示する機能を有し、カメラの接続切換操作（リモコン雲台１４との通信接続切換操作）に応じて、操作画面が自動的に切り換えられるように構成されているので、操作者は操作画面に表示されたカメラ情報７０を基にカメラに応じた的確な操作を行うことができ、また、レンズの操作に関してもレンズの機種を認識することによって倍率や明るさ、防振機能などの有無に応じた的確な操作を行うことができる。たとえば、カメラ情報７０を確認した後にそのカメラ専用の操作ソフトウエア立ち上げることや、レンズの機能の操作項目を制限することができる。
【０１０５】
なお、本例ではタッチパネル付きの液晶表示部２２に操作画面を表示する態様を示したが、メカニカルボタン上の取り付けられた液晶表示装置や有機ＥＬ表示装置の表示切換にも適用可能である。かかる構成では、機能が割り付けられていないボタンにはその旨の表示（例えば「‐」）がされるように構成される。
【０１０６】
上記の実施形態では、ネットワークを介して接続される雲台コントローラによりテレビカメラが装着されるリモコン雲台の遠隔操作を可能にするリモコン雲台システムについて説明したが、本発明の目的を逸脱しない範囲において適宜変更が可能である。
【０１０７】
上記の実施形態では、ネットワークを介して接続される雲台コントローラによりテレビカメラが装着されるリモコン雲台の遠隔操作を可能にするリモコン雲台システムについて説明したが、本発明の目的を逸脱しない範囲において適宜変更が可能である。
【０１０８】
〔付記〕
上記に詳述した発明の実施形態についての記載から把握されるとおり、本明細書は少なくとも以下に示す発明を含む多様な技術思想の開示を含んでいる。
【０１０９】
（発明１）：カメラを搭載したリモコン雲台カメラ装置を操作する操作装置であって、前記リモコン雲台カメラ装置の操作に用いる操作ボタンと、前記操作ボタンの名称を表示する表示手段と、前記操作ボタンに割り付けられた操作可能なリモコン雲台カメラ装置の機能名を当該操作ボタンの名称として前記表示手段に表示させる表示制御手段と、を備えたことを特徴とする操作装置。
【０１１０】
本発明によれば、操作可能なリモコン雲台カメラ装置の機能名を、当該機能が割り付けられた操作装置の操作ボタンの名称として表示するので、操作者が機能と操作の関係を把握していなくてもリモコン雲台カメラ装置の操作が可能であり、かつ、誤動作の防止を未然に防ぐことができる。
【０１１１】
リモコン雲台カメラ装置と操作装置との間の通信接続を行う接続手段を備える態様が好ましい。また、リモコン雲台カメラ装置と操作装置との間の通信接続が確立されたときに、リモコン雲台カメラ装置の情報（名称、ＩＤ等）を取得する情報取得手段を操作装置に備える態様が好ましい。
【０１１２】
（発明２）：発明１に記載の操作装置において、接続可能なリモコン雲台カメラ装置の機能名を入力する入力手段と、前記入力手段によって入力された機能名を記憶する記憶手段と、を備えたことを特徴とする。
【０１１３】
かかる態様によれば、表示制御手段は、記憶手段を参照して表示手段に操作ボタンの名称を表示させることが可能である。
【０１１４】
かかる態様における入力手段は、操作装置に設けられる入力装置でもよいし、所定の接続部を介して接続される入力装置でもよい。
【０１１５】
（発明３）：発明１又は２に記載の操作装置であって、前記操作ボタン及び前記表示手段は、タッチパネル式表示装置に表示される操作画面に設けられることを特徴とする。
【０１１６】
かかる態様によれば、操作ボタンや表示手段のレイアウト切換、表示切り換えが容易である。
【０１１７】
タッチパネル式の表示装置には、液晶ディスプレイや有機ＥＬディスプレイが好適に用いえられる。
【０１１８】
（発明４）：発明１又は２に記載の操作装置において、前記表示手段は、前記操作ボタンの近傍に設けられる表示装置を含むことを特徴とする。
【０１１９】
かかる態様において機械式の操作ボタンを備える構成においても、操作ボタンにリモコン雲台カメラ装置の機能名を表示することができ、たいへん便利である。
【０１２０】
複数の操作ボタンを備える態様では、すべての操作ボタンに共通の表示装置を備えてもよいし、操作ボタンごとに表示装置を備えてもよい。
【０１２１】
（発明５）：発明１乃至４のいずれかに記載の操作装置において、前記表示制御手段は、機能が割り付けられていない操作ボタンについて、機能が割り付けられていないことを表示するように前記表示手段を制御することを特徴とする。
【０１２２】
かかる態様において、機能未割付を表す表示態様として「−（バー）」を適用する態様がある。
【０１２３】
（発明６）：カメラを搭載したリモコン雲台カメラ装置を操作する操作装置に設けられた操作ボタンの名称表示方法であって、前記操作ボタンに割り付けられた操作可能なリモコン雲台カメラ装置の機能名を当該操作ボタンの名称として表示することを特徴とする操作ボタン名称表示方法。
【０１２４】
本発明において、接続可能なリモコン雲台カメラ装置の機能名を入力する入力工程と、入力工程によって入力された機能名を記憶する記憶工程と、を含む態様が好ましい。
【０１２５】
（発明７）：通信回線網を介して接続される複数のリモコン雲台カメラ装置と、前記通信回線網と接続されるとともに、前記通信回線網を介して前記複数のリモコン雲台カメラ装置のいずれかを操作する操作装置と、前記リモコン雲台カメラ装置と前記操作装置の接続を確立する接続手段と、を備え、前記操作装置は、前記リモコン雲台カメラ装置の操作に用いる操作ボタンと、前記操作ボタンの名称を表示する表示手段と、前記操作ボタンに割り付けられた接続を確立したリモコン雲台カメラ装置の機能名を当該操作ボタンの名称として前記表示手段に表示させる表示制御手段と、を備えたことを特徴とするリモコン雲台システム。
【０１２６】
本発明によれば、複数のリモコン雲台カメラ装置の中から１台のリモコン雲台カメラ装置を選択して操作する場合に、接続が確立されたリモコン雲台カメラ装置の機能に対応する機能名が操作ボタンに表示されるので、操作者は操作ボタンに割り付けられたそれぞれのリモコン雲台カメラ装置の機能を、操作ボタンの表示によって把握することができる。
【０１２７】
複数の接続手段及び複数の操作装置を含み、それぞれの操作装置が別々の接続手段を介して複数のリモコン雲台カメラ装置との接続を確立する形態も可能である。
【０１２８】
（発明８）：発明７に記載のリモコン雲台システムにおいて、前記操作装置は、接続可能なリモコン雲台カメラ装置の機能名を入力する入力手段と、前記入力手段によって入力された機能名を記憶する記憶手段と、を備え、前記記憶手段は、前記通信回線網に接続されるリモコン雲台カメラ装置の識別情報と当該リモコン雲台カメラ装置の機能名が関連付けされて記憶されることを特徴とする。
【０１２９】
また、上記に詳述した発明の実施形態についての記載から以下のプログラム発明を把握することができる。すなわち、本明細書は、カメラを搭載したリモコン雲台カメラ装置を操作する操作装置に設けられた操作ボタンの名称表示プログラムであって、前記操作ボタンに割り付けられた操作可能なリモコン雲台カメラ装置の機能名を当該操作ボタンの名称として表示することを特徴とする操作ボタンの名称表示プログラムを開示するものである。
【図面の簡単な説明】
【０１３０】
【図１】本発明の実施形態に係るリモコン雲台システムの全体構成図
【図２】図１に示す雲台コントローラの操作面の構成を示す平面図
【図３】図１に示す雲台コントローラの全体構成を示すブロック図
【図４】図２に示す雲台コントローラの操作画面を説明する図
【図５】オプションボタンの構成例を示す図
【図６】オプションボタンの機能名称が表示された状態を示す図
【図７】オプションボタンの機能名称の入力例を説明する図
【図８】オプションボタンの他の構成例を示す図
【図９】図８に示すオプションボタンの機能名称が表示された状態を示す図
【図１０】図４に示す操作画面の操作禁止表示機能を説明する図
【図１１】図１０に示す操作画面の表示制御の他の態様を説明する図
【図１２】本発明の応用例１に係るリモコン雲台システムの全体構成図
【図１３】図１２に示す液晶表示部の表示を説明する図
【図１４】リモコン雲台カメラ装置との通信を確立したときの液晶表示部の表示を説明する図
【図１５】操作禁止中の液晶表示部の表示を説明する図
【図１６】リモコン雲台カメラ装置との通信を遮断したときの液晶表示部の表示を説明する図
【図１７】図１２に示すリモコン雲台システムにおいて、他のリモコン雲台カメラ装置に通信先を切り換えたときの液晶表示部のレイアウトを説明する図
【図１８】さらに他のリモコン雲台カメラ装置に通信先を切り換えたときの液晶表示部のレイアウトを説明する図
【図１９】さらに他のリモコン雲台カメラ装置に通信先を切り換えたときの液晶表示部のレイアウトを説明する図
【符号の説明】
【０１３１】
１０…リモコン雲台システム、１４…リモコン雲台、２０…操作装置、２２…液晶表示部、５０…ＣＰＵ、５６…表示部、５８…タッチパネル、６１…操作画面、１００，１０２，１０４，１０６…オプションボタン、１２０…表示部
【図１】
2010166397.tif 000003
【図２】
2010166397.tif 000004
【図３】
2010166397.tif 000005
【図４】
2010166397.tif 000006
【図５】
2010166397.tif 000007
【図６】
2010166397.tif 000008
【図７】
2010166397.tif 000009
【図８】
2010166397.tif 000010
【図９】
2010166397.tif 000011
【図１０】
2010166397.tif 000012
【図１１】
2010166397.tif 000013
【図１２】
2010166397.tif 000014
【図１３】
2010166397.tif 000015
【図１４】
2010166397.tif 000016
【図１５】
2010166397.tif 000017
【図１６】
2010166397.tif 000018
【図１７】
2010166397.tif 000019
【図１８】
2010166397.tif 000020
【図１９】
2010166397.tif 000021